(57)【要約】【課題】電気機器の表面から突出せず、コンパクトで見栄えが良いパック型電源アダプタを備えた電気機器を提供する。【解決手段】ケース１１に、底部の大部分が開口１９した凹所１２が設けられ、電気コードの差込口２３と電気機器１０の回路へのコネクタ２４を有するパック型電源アダプタ２０が前記凹所１２に挿入されて、露出した表面がケース１１の滑らかな外面の一部を形成している。【選択図】      図１
2004350373.tif 000002
【特許請求の範囲】
【請求項１】
ケースに、底部の大部分が開口した凹所が設けられ、電気コードの差込口と電気機器の回路へのコネクタを有するパック型電源アダプタが前記凹所に挿入されて、露出した表面がケースの滑らかな外面の一部を形成している電気機器。
【請求項２】
請求項１において、前記パック型電源アダプタが前記電気機器の背面に取り付けられている電気機器。
【請求項３】
請求項１または２において、パック型電源アダプタをケースに対してスライドさせることで着脱可能に係合させるスライド係合機構と、係合した状態でパック型電源アダプタのスライド方向への移動を阻止するストッパ機構とを備えている電気機器。
【発明の詳細な説明】
【０００１】
【発明の属する技術分野】
本発明は、電気機器本体に電源として取り付けられる電源アダプタを備えた電気機器に関するものである。
【０００２】
【従来の技術】
従来、液晶テレビ、プリンタ、ＰＣに接続するプロジェクタなどの電気機器に電源として取り付けられる交直流変換器である電源アダプタは、電気機器の背面または側面などに取り付けられる（例えば、特許文献１）。
【０００３】
【特許文献１】
特開昭６４−８９９６６号公報（第２頁右下欄第１５ないし２０行目、第１図）
【０００４】
しかしながら、一般に、電源アダプタは、重量があり嵩張るから、電気機器の外表面から突出する。このため、前記突出した電源アダプタが移動の際に周囲の物体に引っ掛かり易いうえに、機器のコンパクト化が十分できず、見栄えも悪い。
【０００５】
そこで、本発明の目的は、電気機器の表面から突出せず、コンパクトで見栄えが良いパック型電源アダプタを備えた電気機器を提供することにある。
【０００６】
【課題を解決するための手段】
上記目的を達成するために、本発明に係るパック型電源アダプタを備えた電気機器は、ケースに、底部の大部分が開口した凹所が設けられ、電気コードの差込口と電気機器の回路へのコネクタを有するパック型電源アダプタが前記凹所に挿入されて、露出した表面がケースの滑らかな外面の一部を形成している。
【０００７】
前記構成によれば、パック型電源アダプタの露出した表面が、電気機器の外表面と一体になるから、周囲の物体との引っ掛かりがなくなるとともに、コンパクトで見栄えも良くなる。また、前記凹所の底部の大部分が開口しているから、パック型電源アダプタは、ケースの内側にも露出し、内壁の一部も形成するので、内壁の一部を省略できる分だけ空間が節約できて、一層コンパクト化されるとともに、ケースが軽量化される。
【０００８】
本発明における好ましい実施形態では、前記パック型電源アダプタが前記電気機器の背面に取り付けられている。この構成によれば、目立たず見栄え良くパック型電源アダプタを電気機器に取り付けることができる。
【０００９】
また、本発明における好ましい実施形態では、電気機器が、パック型電源アダプタをケースに対してスライドさせることで着脱可能に係合させるスライド係合機構と、係合した状態でパック型電源アダプタのスライド方向への移動を阻止するストッパ機構とを備えている。この構成によれば、前記スライド係合機構により、電気機器に対し、パック型電源アダプタを容易に着脱することができ、さらに、前記ストッパ機構により、電気機器からの脱落が防止される。
【００１０】
【発明の実施の形態】
以下、本発明の一実施形態について図面を参照しながら説明する。
図１は、本発明の一実施形態である、液晶表示器のような電気機器１０を背面から見た斜視図であり、樹脂製のケース１１およびそれに取り付けられるパック型電源アダプタ２０を示す。前記ケース１１の外周縁部は、外側に向かって丸みを帯びた形状であり、前記外周縁部を含むケース１１の一部に前記パック型電源アダプタ２０を装着するための凹所１２が設けられている。前記凹所１２は、ケース１１の一側方に開放された平面矩形であり、奥と両側が端面１２ａと側面１２ｂ，１２ｂにより形成されている。凹所１２の底部の大部分、つまり、半分以上は開口１９となっており、入口側に底壁１７が設けられている。前記パック型電源アダプタ２０のケース２１の表面の一部は、前記ケース１１の外周縁と同様に、丸みを帯びており、前記凹所１２に挿入したときに露出した表面がケース１１の滑らかな外面の一部を形成する。
【００１１】
パック型電源アダプタ２０には、露出する表面の一部を切欠いて電源コードの差込口２３が設けられており、電源コードを介して商用電源のコンセントに接続される。他方、前記ケース１１の凹所１２の端面１２ａには、パック型電源アダプタ２０によって直流変換された電源を取り込むための入力端子１４が配置されている。この入力端子１４は、ケース１１の内側を示す図２のように、電線３０を介して電気機器１０のケース１１内の回路に通じている。ケース１１の前面（図２の手前側）には、例えば液晶パネルが嵌め込まれて、ケース１１の外周段部１１ａに支持される。これに対し、図３に示されるように、パック型電源アダプタ２０の端面２０ａには、装着時に入力端子１４に接続される出力端子であるコネクタ２４が配置されている。
【００１２】
図２に示すケース１１の凹所１２の両側面１２ｂ，１２ｂには、係合突起１５が設けられている。これに対し、図３に示すパック型電源アダプタ２０の両側面２０ｂ，２０ｂには、前記係合突起１５に係合する係合溝２５が形成されている。前記係合溝２５の下面は、図４に示すように、アダプタケース２１の底面２０ｃと面一で、図３のスライド取付方向Ａに向かって突出した係止爪２６の上面によって形成されている。アダプタケース２１には、また、係合溝２５に連通する案内溝２７が形成されている。
【００１３】
さらに、図１のケース１１の凹所１２の底壁１７にストッパ１６が設けられている。前記ストッパ１６は、図２に示すように、矩形の板状であり、一辺１６ａを残して他の３辺が溝１６ｂによりケース１１から切り離されており、これによって、前記一辺１６ａを支持端とする片持ち支持の板ばねを形成している。このストッパ１６は、一辺１６ａからスライド取付方向Ａに向かって突出し、先端に突起１６ｃが形成されている。これに対し、図４に示すように、パック型電源アダプタ２０の底面２０ｃに、前記ストッパ１６の突起１６ｃに係止される係止溝２９が形成されている。このように、前記ストッパ１６および係止溝２９からなるストッパ機構により、ケース１１にパック型電源アダプタ２０を装着した状態から、パック型電源アダプタ２０が脱落するのを防止する。
【００１４】
つぎに、パック型電源アダプタ２０の電気機器のケース１１に対する取り付けについて説明する。
まず、図１に示されるように、ケース１１の凹所１２に対し、パック型電源アダプタ２０を上方から挿入し、ケース１１の両側面１２ｂ，１２ｂに設けられた係合突起１５を前記案内溝２７に嵌合した後、スライド取付方向Ａにスライドさせて係合溝２５に嵌め込むことで係止爪２６に係合させて、パック型電源アダプタ２０をケース１１に取り付ける。このとき、同時にストッパ１６の突起１６ｃも係止溝２９に係止する。このように、前記係合突起１５、係合溝２５、係止爪２６および案内溝２７からなるスライド係合機構により、ケース１１へのパック型電源アダプタ２０の装着が容易になる。また、突起１６ｃの係止溝２９への係止により、パック型電源アダプタ２０のケース１１からの脱落が防止される。ケース１１の入力端子１４にはパック型電源アダプタ２０のコネクタ２４（図３）が接続されるので、パック型電源アダプタ２０の差込口２３に電源コードを差し込み、コンセントに接続することで、コンセントからの交流が直流に変換され、電気機器１０の回路に供給される。
【００１５】
パック型電源アダプタ２０をケース１１から取り外すときには、パック型電源アダプタ２０をスライド取付方向Ａと逆向きに引き抜き、係合突起１５と係止爪２６の係合を解いた後、パック型電源アダプタ２０を図１の上方へ引き出すことにより、パック型電源アダプタ２０を凹所１２から抜き出す。前記パック型電源アダプタ２０は、電気機器１０の回路とは独立して設けられている。したがって、パック型電源アダプタ２０単体で安全規格を満たせば良い。
【００１６】
前記パック型電源アダプタ２０の露出した表面は、前記ケース１１の外表面と一体になるように形成されているから、周囲の物体との引っ掛かりがなくなり、コンパクトで、見栄えも良くなる。また、前記凹所１２の底部の開口１９により、パック型電源アダプタ２０の底面２０ｃは、図２に示すように、ケース１１内部に露出する。前記パック型電源アダプタ２０の底面２０ｃは、ケース１１の凹所１２からケース１１の内方に突出しないように、端面１２ａおよび側面１２ｂ，１２ｂを形成する端壁および側壁の下端と面一に設定されている。このように、底面２０ｃが前記ケース１１の内壁（底壁）の一部も形成することから、内壁が省略できる分だけ空間が節約できるので、ケース１１が一層コンパクトになるとともに軽量化される。
【００１７】
上記実施形態では、電気機器１０のケース１１側に係合突起１５を設け、パック型電源アダプタ２０側にこれに係合する係合溝２６を設けたが、逆に電気機器１０のケース１１側に係合溝を設け、パック型電源アダプタ２０側にこれに係合する係合突起を設けるようにしてもよい。
【００１８】
【発明の効果】
以上のように、本発明の実施形態に係るパック型電源アダプタを備えた電気機器によれば、パック型電源アダプタの露出した表面が、電気機器の外表面と一体になるから、周囲の物体との引っ掛かりがなくなるとともに、コンパクトで、見栄えも良くなる。また、前記凹所の底部の大部分が開口しているから、パック型電源アダプタは、ケースの内側にも露出し、内壁の一部も形成するので、内壁の一部を省略できる分だけ空間が節約できて、一層コンパクト化されるとともに、ケースが軽量化される。
【図面の簡単な説明】
【図１】本発明の一実施形態に係る電気機器のケースの一部およびパック型電源アダプタを示す背面斜視図である。
【図２】同ケースの内側を示す斜視図である
【図３】同パック型電源アダプタの斜視図である。
【図４】同パック型電源アダプタの底面図である。
【符号の説明】
１０…電気機器、１１…ケース、１２…凹所、１９…開口、２０…パック型電源アダプタ、２３…電気コードの差込口、２４…コネクタ。
【図１】
2004350373.tif 000003
【図２】
2004350373.tif 000004
【図３】
2004350373.tif 000005
【図４】
2004350373.tif 000006